(57)【特許請求の範囲】
【請求項１】
熱交換器と吹出口を覆うように設けられ、背面板と両側面板を有するケーシングと、
このケーシングの前記背面板の下端縁部を断面略コの字状に形成した背面側樋部と、
前記両側面板の下端縁部を断面略コの字状に形成し、前記背面側樋部と連接した側面側樋部と、
前記背面板に設けられ、前記背面板から前記背面側樋部に滴下する水滴を前記側面側樋部に分流させる複数の分流リブと、
前記側面樋部の最下端部に設けられ、前記水滴を滴下させる滴下穴と、
前記側面側樋部の下側に開口部を有し、この開口部の両側壁が前記側面側樋部の両側壁に両側壁が沿うように設けられたドレンパンと、
を備え、
前記側面側樋部及び前記背面側樋部を、前記滴下穴に向かって下向きに傾斜させたことを特徴とする天井埋込形空気調和機。
【請求項２】
熱交換器と吹出口を覆うように設けられ、背面板と両側面板を有するケーシングと、
このケーシングの前記背面板の下端縁部を断面略コの字状に形成した背面側樋部と、
前記両側面板の下端縁部を断面略コの字状に形成し、前記背面側樋部と連接した側面側樋部と、
前記背面板に設けられ、前記背面板から前記背面側樋部に滴下する水滴を前記側面側樋部に分流させる複数の分流リブと、
前記背面側樋部及び側面樋部に設けられ、水滴を滴下させる複数の滴下穴と、
前記側面側樋部及び前記背面側樋部の下側に開口部を有し、この開口部の両側壁が前記側面側樋部及び前記背面側樋部の両側壁に両側壁が沿うように設けられたドレンパンと、
を備え、
前記側面側樋部及び前記背面側樋部を、前記滴下穴に向かって下向きに傾斜させたことを特徴とする天井埋込形空気調和機。
【請求項３】
熱交換器と吹出口を覆うように設けられ、背面板と両側面板を有するケーシングと、
このケーシングを内装する箱体と、
前記ケーシングの前記背面板の下端縁部を断面略コの字状に形成した背面側樋部と、
前記両側面板の下端縁部を断面略コの字状に形成し、前記背面側樋部と連接した側面側樋部と、
前記背面板に設けられ、前記背面板から前記背面側樋部に滴下する水滴を前記側面側樋部に分流させる複数の分流リブと、
前記側面樋部の最下端部に設けられ、前記水滴を滴下させる滴下穴と、
前記箱体の下端開口周縁部の下側に開口部を有し、この開口部の外側壁が前記箱体の前記下端開口周縁部より大きくし、内側壁が前記側面側樋部及び前記背面側樋部の内側壁に沿うように設けられたドレンパンと、
を備えたことを特徴とする天井埋込形空気調和機。
【請求項４】
熱交換器と吹出口を覆うように設けられ、背面板と両側面板を有するケーシングと、
このケーシングを内装する箱体と、
前記ケーシングの前記背面板の下端縁部を断面略コの字状に形成した背面側樋部と、
前記両側面板の下端縁部を断面略コの字状に形成し、前記背面側樋部と連接した側面側樋部と、
前記背面板に設けられ、前記背面板から前記背面側樋部に滴下する水滴を前記側面側樋部に分流させる複数の分流リブと、
前記背面側樋部及び側面樋部に設けられ、水滴を滴下させる複数の滴下穴と、
前記箱体の下端開口周縁部の下側に開口部を有し、この開口部の外側壁が前記箱体の前記下端開口周縁部より大きくし、前記開口部の内側壁が前記側面側樋部及び前記背面側樋部の内側壁に沿うように設けられたドレンパンと、
を備え、
前記側面側樋部及び前記背面側樋部を、前記滴下穴に向かって下向きに傾斜させたことを特徴とする天井埋込形空気調和機。
【請求項５】
前記ドレンパンを、熱交換器の下部に設けられた熱交換器用ドレンパンと一体にしたことを特徴とする請求項１乃至請求項４のいずれかに記載の天井埋込形空気調和機。
【請求項６】
空気を吸込口より吸い込み、吹出口から排出させる送風ファンを備え、
前記ケーシングの両側面板を、前記送風ファンを駆動するモーターを固定するモータ固定部と前記ドレンパンに貯留されたドレン水を排出するドレンポンプを固定するドレンポンプ固定部と各々一体にしたことを特徴とする請求項１乃至請求項５のいずれかに記載の天井埋込形空気調和機。
【発明の詳細な説明】
【０００１】
【発明の属する技術分野】
この発明は、天井埋込形空気調和機に生じる水滴の回収構造を改良した天井埋込形空気調和機に関する。
【０００２】
【従来の技術】
図７は従来の天井埋込形空気調和機の室内ユニット（以下、天井埋込形空気調和機と称す）の断面図である。図において、１は送風ファン、２は熱交換器であり熱交換器２ａ、２ｂから構成される。１３は熱交換器２に生じる水滴を回収する熱交換器用ドレンパン、４はスタビライザー、１５はケーシングであり、外殻１５ａ、断熱効果のある材料（例えば発泡スチロール）１５ｂから構成される。６は風向を変える上下ベーン、７は吸い込み口であり、熱交換器２ａ側の吸い込み口７ａと熱交換器２ｂ側の吸い込み口７ｂから構成される。８はケーシング１５により形成た風路、９は吹出口、１０はケーシング等を内装する箱体である。
【０００３】
この構成において、冷房時には送風ファン１によって吸込口７より吸い込まれた室内空気は、熱交換器２により冷やされ風路８を通り吹出口９より排出される。
このとき、熱交換器２に生じる水滴は熱交換器用ドレンパン１３に回収される。また、風路を形成しているケーシング１５は冷やされるため、断熱効果のある断熱材（例えば発泡スチロール）１５ｂを使用してケーシング１５の裏面（図斜線部上側）に水滴が生じないようにしていた。
【０００４】
【発明が解決しようとする課題】
しかしながら、上記のような従来の天井埋込形空気調和機では、ケーシング１５が断熱不足になるとケーシング１５の裏面、さらには、箱体１０にも水滴が生じ、この水滴により天井埋込形空気調和機の信頼性が低下し、また、水滴をドレンパンに回収する途中の水受部等に水滴がたまると、水滴が冷やされているため、この水受部の外面に結露による水滴が生じてこの除去が難しくなり、また、ケーシング１５の構成が断熱材１５ｂを必要とし構成が簡単でなく、さらに、装置を取り付けた天井等に水滴による影響が生じるという問題があった。
【０００５】
この発明は上述のような課題を解決するためになされたもので、断熱材を使用せず、簡単な構成により、冷房時に、ケーシング及び箱体に生じた水滴を容易に回収することができ、信頼性を高め、部品点数を減らし、低騒音化が図れ、また、天井等に影響が生じないようにした天井埋込形空気調和機を提供することを目的とする。
【０００６】
【課題を解決するための手段】
この発明に係る天井埋込形空気調和機は、熱交換器と吹出口を覆うように設けられ、背面板と両側面板を有するケーシングと、このケーシングの前記背面板の下端縁部を断面略コの字状に形成した背面側樋部と、前記両側面板の下端縁部を断面略コの字状に形成し、前記背面側樋部と連接した側面側樋部と、前記背面板に設けられ、前記背面板から前記背面側樋部に滴下する水滴を前記側面側樋部に分流させる複数の分流リブと、前記側面樋部の最下端部に設けられ、前記水滴を滴下させる滴下穴と、前記側面側樋部の下側に開口部を有し、この開口部の両側壁が前記側面側樋部の両側壁に両側壁が沿うように設けられたドレンパンと、を備え、前記側面側樋部及び前記背面側樋部を、前記滴下穴に向かって下向きに傾斜させたものである。
【０００７】
また、熱交換器と吹出口を覆うように設けられ、背面板と両側面板を有するケーシングと、このケーシングの前記背面板の下端縁部を断面略コの字状に形成した背面側樋部と、前記両側面板の下端縁部を断面略コの字状に形成し、前記背面側樋部と連接した側面側樋部と、前記背面板に設けられ、前記背面板から前記背面側樋部に滴下する水滴を前記側面側樋部に分流させる複数の分流リブと、前記背面側樋部及び側面樋部に設けられ、水滴を滴下させる複数の滴下穴と、前記側面側樋部及び前記背面側樋部の下側に開口部を有し、この開口部の両側壁が前記側面側樋部及び前記背面側樋部の両側壁に両側壁が沿うように設けられたドレンパンと、を備え、前記側面側樋部及び前記背面側樋部を、前記滴下穴に向かって下向きに傾斜させたものである。
【０００８】
また、熱交換器と吹出口を覆うように設けられ、背面板と両側面板を有するケーシングと、このケーシングを内装する箱体と、前記ケーシングの前記背面板の下端縁部を断面略コの字状に形成した背面側樋部と、前記両側面板の下端縁部を断面略コの字状に形成し、前記背面側樋部と連接した側面側樋部と、前記背面板に設けられ、前記背面板から前記背面側樋部に滴下する水滴を前記側面側樋部に分流させる複数の分流リブと、前記側面樋部の最下端部に設けられ、前記水滴を滴下させる滴下穴と、前記箱体の下端開口周縁部の下側に開口部を有し、この開口部の外側壁が前記箱体の前記下端開口周縁部より大きくし、内側壁が前記側面側樋部及び前記背面側樋部の内側壁に沿うように設けられたドレンパンと、を備える。
【０００９】
また、熱交換器と吹出口を覆うように設けられ、背面板と両側面板を有するケーシングと、このケーシングを内装する箱体と、前記ケーシングの前記背面板の下端縁部を断面略コの字状に形成した背面側樋部と、前記両側面板の下端縁部を断面略コの字状に形成し、前記背面側樋部と連接した側面側樋部と、前記背面板に設けられ、前記背面板から前記背面側樋部に滴下する水滴を前記側面側樋部に分流させる複数の分流リブと、前記背面側樋部及び側面樋部に設けられ、水滴を滴下させる複数の滴下穴と、前記箱体の下端開口周縁部の下側に開口部を有し、この開口部の外側壁が前記箱体の前記下端開口周縁部より大きくし、前記開口部の内側壁が前記側面側樋部及び前記背面側樋部の内側壁に沿うように設けられたドレンパンと、を備え、前記側面側樋部及び前記背面側樋部を、前記滴下穴に向かって下向きに傾斜させたものである。
【００１１】
また、前記ドレンパンを、熱交換器の下部に設けられた熱交換器用ドレンパンと一体にしたものである。
【００１２】
また、空気を吸込口より吸い込み、吹出口から排出させる送風ファンを備え、前記ケーシングの両側面板を、前記送風ファンを駆動するモーターを固定するモータ固定部と前記ドレンパンに貯留されたドレン水を排出するドレンポンプを固定するドレンポンプ固定部と各々一体にしたものである。
【００１３】
【発明の実施の形態】
実施の形態１．
図１は実施の形態１を示す天井埋込形空気調和機の断面図、図２は天井埋込形空気調和機の本体のケーシングとドレンパンの位置関係の斜視図、図３は天井埋込形空気調和機の分解斜視図である。図において、１は送風ファン、２は熱交換器であり熱交換器２ａ、２ｂから構成される。４はスタビライザー、５は熱交換器２と吹出口９を覆うように設けられ、風路を形成するケーシングであり、このケーシング５の背面板５ｃと両側面板５ｄ、５ｄ背面板５ｃに設けられ、背面板５ｃに生じた水滴が背面板５ｃの傾斜面を下方に流れる水滴を左右に分流するへの字状の分流リブ１１を備え、さらに、背面板５ｃの下端縁部を断面略コの字状に形成した背面側樋部５ａ、両側面板５ｄ、５ｄの下端縁部を断面略コの字状に形成し、最下端部５ｅ、５ｅ傾斜部５ｆ、５ｆ上部５ｇ、５ｇからなり、最下端部５ｅ、５ｅが背面側樋部と連接した側面側樋部５ｂ、５ｂ、側面側樋部５ｂ、５ｂの最下端部５ｅ、５ｅに設けられ、水滴を滴下させる滴下穴１２を備えている。
【００１４】
６は風向を変える上下ベーン、７は吸い込み口であり、熱交換器２ａ側の吸い込み口７ａと熱交換器２ｂ側の吸い込み口７ｂから構成される。８はケーシング５により形成した風路、９は吹出口である。
なお、背面板側樋部５ａは側面側樋５ｂ、５ｂの最下端部５ｅ、５ｅに設けられた穴１２に水滴が流れるように傾斜をつけ、また、側面側樋５ｂ、５ｂの上部５ｇ、５ｇも最下端部５ｅ、５ｅ側に傾斜させている。
【００１５】
３はドレンパンであり、熱交換器２の下部の下側に開口部が熱交換器２の下部に対向するように設けられ、熱交換器２に生じる水滴を回収する熱交換器用ドレンパン部３ａ、側面側樋部５ｂ、５ｂの下側に開口部を有し、側面側樋部５ｂ、５ｂの両側壁に両側壁が沿うように設けられた樋用ドレンパン部３ｃ、３ｃから構成され、平面視がＩ字状に一体に形成されている。
２０は送風ファン１の駆動用モーター及びドレンポンプが外側に取りつけられ、熱交換器２、送風ファン１が内装されたケーシング５、スタビライザー４、上下ベーン６、ドレンパン３から構成される本体、１０は本体２０を収納する箱体である。
【００１６】
また、図４に示すように、ケーシング５の側面板５ｄの片側には送風ファン１の駆動用のファンモーター２１がモーター固定部品２２により取り付けられ、その反対側にはドレンパン３に貯留されたドレン水を排出するドレンポンプ２３が取り付けられる。
なお、ケーシング５の両側面板５ｄ、５ｄに、ファンモーター２１を固定するモータ固定部２４とドレンポンプ２３を固定するドレンポンプ固定部２５が一体に設けられている。
【００１７】
次に、以上のように構成されたこの発明の天井埋込形空気調和機の動作を説明する。冷房時に、送風ファン１によって吸込口7より吸い込まれた室内空気は、熱交換器２により冷やされ、ケーシング５により形成された風路８を通り吹出口９より排出される。
このとき、ケーシング５が冷されるためケーシング５の裏面に水滴が生じる。この水滴は大半が背面板５ｃの傾斜面に沿って背面側樋部５ａに滴下しようとするが、分流リブ１１により両側面板５ｄ、５ｄの方向にも流れ、両側面板５ｄ、５ｄを伝わって側面側樋部５ｂ、５ｂに達するとともに、一部が背面板５ｃから背面側樋５ａに達する。
【００１８】
そして、背面側樋部５ａと側面側樋部５ｂ、５ｂに達した水滴は、側面側樋部５ｂ、５ｂの最下端部５ｅ、５ｅに流れ、ここに設けられた滴下穴１２より各々樋用ドレンパン部３ｃ、３ｃに回収される。
一方、熱交換器２に生じた水滴は、熱交換器用ドレンパン部３ａに滴下する。
このように、樋用ドレンパン部３ｃ、３ｃと熱交換器用ドレンパン部３ａからなるドレンパン３に回収され、回収された水滴は適宜ドレンポンプにより屋外に排出される。
なお、分流リブ１１は長さ、個数、角度等を変えて分流を調整することができる。
【００１９】
以上のように、ケーシング５は断熱材が不要であり、水滴が分流リブ１１により側面側樋部５ｂ、５ｂに流れるので、背面側樋部５ａに水滴が集中して流れないので、背面側樋部５ａ、側面側樋部５ｂ、５ｂに分散され、背面側樋部５ａ、側面側樋部５ｂ、５ｂの外面に結露が生じなく、背面側樋部５ａと側面側樋部５ｂ、５ｂからドレンパン３への接続手段も不要であり、簡単な構成により、冷房時に、ケーシング５及び箱体１０に生じた水滴を容易にドレンパン３に回収することができ、信頼性を高め、また、天井等に影響が生じないようにすることができる。
また、ケーシング５は一体構造とすることができ、部品点数を少なくすることができる。
また、ケーシング５の両側面板５ｄ、５ｄを、モータ固定部２４とドレンポンプ固定部２５６と各々一体にしたので、組み立て後の寸法精度を高くすることができ、低騒音化を図ることができる。
【００２０】
実施の形態２．
図４は実施の形態２を示す天井埋込形空気調和機の断面図、図５は天井埋込形空気調和機のケーシングとドレンパンの位置関係の斜視図である。図において、実施の形態１の図２と同じ部分には同一の符号を付し説明を省略する。図２との相違は、滴下穴１２はケーシング５の側面側樋部５ｂ、５ｂの最下端部５ｅ、５ｅだけでなく、背面側樋５ａ、側面側樋５ｂ、５ｂに各々複数の滴下穴１２を設け、ドレンパン３に背面側樋部５ａの下側に開口部を有し、背面側樋部５ａの両側壁に両側壁が沿うように設けられた樋部ドレンパンｂを設けた点である。従って、ドレンパン３は平面視が略Ｄ字状に一体に形成されている。
【００２１】
次に、以上のように構成されたこの発明の天井埋込形空気調和機の動作を説明する。冷房時に、送風ファン１によって吸込口7より吸い込まれた室内空気は、熱交換器２により冷やされ、ケーシング５により形成された風路８を通り吹出口９より排出される。
このとき、ケーシング５が冷されるためケーシング５の裏面に水滴が生じる。この水滴は大半が傾斜面に沿って背面側樋部５ａに滴下しようとするが、分流リブ１１により両側面板５ｄ、５ｄの方向にも流れ、両側面板５ｄ、５ｄのを伝わって側面側樋部５ｂ、５ｂに達するとともに、一部が背面板５ｃから背面側樋５ａに達する。
【００２２】
そして、背面側樋部５ａと側面側樋部５ｂ、５ｂに達した水滴は、背面側樋部５ａと側面側樋部５ｂ、５ｂに設けられた滴下穴１２より各々樋用ドレンパン部３ｂ、３ｃ、３ｃに回収される。
一方、熱交換器２に生じた水滴は、熱交換器用ドレンパン部３ａに滴下する。
このように、樋用ドレンパン部３ｂ、３ｃ、３ｃと熱交換器用ドレンパン部３ａからなるドレンパン３に回収され、回収された水滴は適宜ドレンポンプにより屋外に排出される。
【００２３】
以上のように、背面側樋部５ａと側面側樋部５ｂ、５ｂに水滴が分散されるとともに、複数の滴下穴１２から水滴をドレンパンに回収するので、背面側樋部５ａと側面側樋部５ｂ、５ｂの外面により一層結露が生じないようにでき、樋冷房時に、ケーシング５及び箱体１０に生じた水滴をより容易にドレンパン２回収することができ、より信頼性を高め、また、天井等に影響が生じないようにすることができる。
なお、本実施の形態は分流リブ１１を備えたものを示したが、背面側樋５ａに滴下穴１２を多くもうけることにより分流リブ１１は省いてもよい。
【００２４】
実施の形態３．
図６は実施の形態３を示す天井埋込形空気調和機の箱体とドレンパンの位置関係の斜視図である。図において、実施の形態１の図２と同じ部分には同一の符号を付し説明を省略する。ドレンパン３は、箱体１０の下端開口周縁部の下側に開口部を有し、外側壁が箱体１０の下端開口周縁部より大きくし、内側壁が背面側樋部５ａの内側壁に沿うように設けられた箱体・樋用ドレンパン部３ｄ、３ｄと側面側樋部５ｂ、５ｂの内側壁に沿うように設けられた箱体・樋用ドレンパン部３ｅ、３ｅ及び熱交換器用ドレンパン部３ａから構成され、平面視が日の字状に一体に形成されている。
【００２５】
以上の構成において、ケーシング５の裏面に生じた水滴は背面側樋部５ａと側面側樋部５ｂ、５ｂに達した水滴は、側面側樋部５ｂ、５ｂに設けられた滴下穴１２より各々箱体・樋用ドレンパン部３ｄ、３ｅ、３ｅに回収される。
一方、箱体１０に生じた水滴は箱体１０の下端開口周縁部から箱体・樋用ドレンパン部３ｄ、３ｄ、３ｅ、３ｅに回収される。また、熱交換器２に生じた水滴は、熱交換器用ドレンパン部３ａに回収される。
【００２６】
以上のように、箱体１０に生じた水滴も回収でき、より信頼性を高め、また、天井等に影響が生じないようにすることができる。
【００２７】
【発明の効果】
以上のように、この発明によれば、熱交換器と吹出口を覆うように設けられ、背面板と両側面板を有するケーシングと、このケーシングの前記背面板の下端縁部を断面略コの字状に形成した背面側樋部と、前記両側面板の下端縁部を断面略コの字状に形成し、前記背面側樋部と連接した側面側樋部と、前記背面板に設けられ、前記背面板から前記背面側樋部に滴下する水滴を前記側面側樋部に分流させる分流リブと、前記側面樋部の最下端部に設けられ、前記水滴を滴下させる滴下穴と、前記側面側樋部の下側に開口部を有し、この開口部の両側壁が前記側面側樋部の両側壁に両側壁が沿うように設けられたドレンパンと、を備えたので、簡単な構成により、冷房時に、ケーシング及び箱体に生じた水滴を容易に回収することができ、信頼性を高め、また、天井等に影響が生じないようにすることができる。
【００２８】
また、熱交換器と吹出口を覆うように設けられ、背面板と両側面板を有するケーシングと、このケーシングの前記背面板の下端縁部を断面略コの字状に形成した背面側樋部と、前記両側面板の下端縁部を断面略コの字状に形成し、前記背面側樋部と連接した側面側樋部と、前記背面側樋部及び側面樋部に設けられ、水滴を滴下させる複数の滴下穴と、前記側面側樋部及び前記背面側樋部の下側に開口部を有し、この開口部の両側壁が前記側面側樋部及び前記背面側樋部の両側壁に両側壁が沿うように設けられたドレンパンと、を備えたので、簡単な構成により、冷房時に、ケーシング及び箱体に生じた水滴をより容易に回収することができ、より信頼性を高め、また、天井等に影響が生じないようにすることができる。
【００２９】
また、熱交換器と吹出口を覆うように設けられ、背面板と両側面板を有するケーシングと、このケーシングを内装する箱体と、前記ケーシングの前記背面板の下端縁部を断面略コの字状に形成した背面側樋部と、前記両側面板の下端縁部を断面略コの字状に形成し、前記背面側樋部と連接した側面側樋部と、前記背面板に設けられ、前記背面板から前記背面側樋部に滴下する水滴を前記側面側樋部に分流させる分流リブと、前記側面樋部の最下端部に設けられ、前記水滴を滴下させる滴下穴と、前記箱体の下端開口周縁部の下側に開口部を有し、この開口部の外側壁が前記箱体の前記下端開口周縁部より大きくし、内側壁が前記側面側樋部及び前記背面側樋部の内側壁に沿うように設けられたドレンパンと、を備えたので、簡単な構成により、冷房時に、ケーシング及び箱体に生じた水滴をより容易に回収することができ、より信頼性を高め、また、天井等に影響が生じないようにすることができる。
【００３０】
また、熱交換器と吹出口を覆うように設けられ、背面板と両側面板を有するケーシングと、このケーシングを内装する箱体と、前記ケーシングの前記背面板の下端縁部を断面略コの字状に形成した背面側樋部と、前記両側面板の下端縁部を断面略コの字状に形成し、前記背面側樋部と連接した側面側樋部と、前記背面側樋部及び側面樋部に設けられ、水滴を滴下させる複数の滴下穴と、前記箱体の下端開口周縁部の下側に開口部を有し、この開口部の外側壁が前記箱体の前記下端開口周縁部より大きくし、前記開口部の内側壁が前記側面側樋部及び前記背面側樋部の内側壁に沿うように設けられたドレンパンと、を備えたので、簡単な構成により、冷房時に、ケーシング及び箱体に生じた水滴をより容易に回収することができ、より信頼性を高め、また、天井等に影響が生じないようにすることができる。
【００３１】
また、前記背面板に設けられ、前記背面板から背面側樋部に滴下する水滴を側面側樋部に分流させる分流リブを備えたので、ケーシング及び箱体に生じた水滴をより容易に回収することができ、より信頼性を高め、また、天井等に影響が生じないようにすることができる。
【００３２】
また、前記ドレンパンを、熱交換器の下部に設けられた熱交換器用ドレンパンと一体にしたので、部品点数を少なくすることができる。
【００３３】
また、空気を吸込口より吸い込み、吹出口から排出させる送風ファンを備え、前記ケーシングの両側面板を、前記送風ファンを駆動するモーターを固定するモータ固定部と前記ドレンパンに貯留されたドレン水を排出するドレンポンプを固定するドレンポンプ固定部と各々一体にしたので、組み立て後の寸法精度を高くすることができ、低騒音化を図ることができる。
【図面の簡単な説明】
【図１】この発明による実施の形態１を示す天井埋込形空気調和機の断面図である。
【図２】この発明による実施の形態１を示す天井埋込形空気調和機のケーシングとドレンパンの位置関係の斜視図である。
【図３】この発明による実施の形態１を示す天井埋込形空気調和機の分解斜視図である。
【図４】この発明による実施の形態２を示す天井埋込形空気調和機の断面図である。
【図５】この発明による実施の形態２を示す天井埋込形空気調和機のケーシングとドレンパンの位置関係の斜視図である。
【図６】この発明による実施の形態３を示す天井埋込形空気調和機の箱体とドレンパンの位置関係の斜視図である。
【図７】従来の天井埋込形空気調和機の断面図である。
【符号の説明】
１  送風ファン、２  熱交換器、３  ドレンパン、３ａ  熱交換器用ドレンパン部、３ｂ、３ｃ  樋用ドレンパン部、３ｄ、３ｅ  箱体・樋用ドレンパン部、５  ケーシング、５ａ  背面側樋部、５ｂ  側面側樋部、５ｃ  背面板、５ｄ  側面板、５ｅ  最下端部、 ７  吸込口、８  風路、９  吹出口。１０  外箱、１１  分流リブ、１２  滴下穴、２０  本体、２１  ファンモータ、２２  ドレンポンプ、２４  ファンモータ固定部、２５  ドレンポンプ固定部。
【図１】
0004584500.tif 000002
【図２】
0004584500.tif 000003
【図３】
0004584500.tif 000004
【図４】
0004584500.tif 000005
【図５】
0004584500.tif 000006
【図６】
0004584500.tif 000007
【図７】
0004584500.tif 000008